(57)【要約】【課題】  要求元の企業が提示する条件に合ったパートナー企業を高い精度且つ高い確率で探索できる企業選定方法、その装置及びそのプログラムを提供する。【解決手段】  発注者３１が、企業選定システム１７の管理者３７（管理会社）に対して、企業選定の依頼を行う（ステップＳＴ１）。そして、企業選定システム１７を使って、全国のコーディネータ３５に対して、選定条件等を指定して企業選定依頼を行う（ステップＳＴ２）。そして、コーディネータ３５から、候補企業推薦を受ける（ステップＳＴ３）。その後、企業選定システム１７を使って、選定企業の絞り込みが行われ、発注者３１が発注する受注候補企業３３が決まる（ステップＳＴ４）。【選択図】図３
2015228153.tif 000002
【特許請求の範囲】
【請求項１】
指定された条件にあった企業を選定するコンピュータが実行する企業選定方法であって、
選定企業の１次選定条件情報を要求元から受ける第１の工程と、
前記第１の工程で受けた前記１次選定条件情報を、予め登録した複数のコーディネータに提供する第２の工程と、
前記コーディネータから前記１次選定条件情報に適合する候補企業情報を取得する第３の工程と、
前記コーディネータから取得した前記候補企業情報の１次リストデータを作成し、当該１次リストデータを前記要求元に提供する第４の工程と、
前記第４の工程で前記要求元に提供された前記１次リストデータに応じて、第１次選定結果と２次選定条件情報とを前記要求元から受ける第５の工程と、
前記第１次選定結果に示される１次選定企業に前記２次選定条件情報を提供する第６の工程と、
前記１次選定企業から、前記第２次選定条件情報に対しての回答を受ける第７の工程と、
前記第７の工程で受けた回答を基に、候補企業の２次リストデータを生成し、当該２次リストデータを前記要求元に提供する第８の工程と
を前記コンピュータが実行する企業選定方法。
【請求項２】
前記第１の工程は、
前記要求元に要求元ＩＤ及び要求元パスワードを送信する工程と、
前記要求元ＩＤ及び要求元パスワードを基に、前記要求元が所定のウェブサイトにログインして前記１次選定条件情報を入力する工程と
を有する請求項１に記載の企業選定方法。
【請求項３】
前記第７の工程は、
前記１次選定企業に１次選定企業ＩＤ及び１次選定企業パスワードを送信する工程と、
前記１次選定企業ＩＤ及び１次選定企業パスワードを基に、前記１次選定企業が所定のウェブサイトにログインして前記第２次選定条件情報に対しての前記回答を入力する工程と
を有する企業選定方法。
【請求項４】
指定された条件にあった企業を選定するコンピュータが実行する企業選定装置であって、
選定企業の１次選定条件情報を要求元から受ける第１の手段と、
前記第１の手段で受けた前記１次選定条件情報を、予め登録した複数のコーディネータに提供する第２の手段と、
前記コーディネータから前記１次選定条件情報に適合する候補企業情報を取得する第３の手段と、
前記コーディネータから取得した前記候補企業情報の１次リストデータを作成し、当該１次リストデータを前記要求元に提供する第４の手段と、
前記第４の手段で前記要求元に提供された前記１次リストデータに応じて、第１次選定結果と２次選定条件情報とを前記要求元から受ける第５の手段と、
前記第１次選定結果に示される１次選定企業に前記２次選定条件情報を提供する第６の手段と、
前記１次選定企業から、前記第２次選定条件情報に対しての回答を受ける第７の手段と、
前記第７の手段で受けた回答を基に、候補企業の２次リストデータを生成し、当該２次リストデータを前記要求元に提供する第８の手段と
を有する企業選定装置。
【請求項５】
指定された条件にあった企業を選定するコンピュータが実行するプログラムであって、
選定企業の１次選定条件情報を要求元から受ける第１の手順と、
前記第１の手順で受けた前記１次選定条件情報を、予め登録した複数のコーディネータに提供する第２の手順と、
前記コーディネータから前記１次選定条件情報に適合する候補企業情報を取得する第３の手順と、
前記コーディネータから取得した前記候補企業情報の１次リストデータを作成し、当該１次リストデータを前記要求元に提供する第４の手順と、
前記第４の手順で前記要求元に提供された前記１次リストデータに応じて、第１次選定結果と２次選定条件情報とを前記要求元から受ける第５の手順と、
前記第１次選定結果に示される１次選定企業に前記２次選定条件情報を提供する第６の手順と、
前記１次選定企業から、前記第２次選定条件情報に対しての回答を受ける第７の手順と、
前記第７の手順で受けた回答を基に、候補企業の２次リストデータを生成し、当該２次リストデータを前記要求元に提供する第８の手順と
を前記コンピュータに実行させるプログラム。
【発明の詳細な説明】
【技術分野】
【０００１】
本発明は、要求元が提示する条件に合った企業を選定する企業選定方法、その装置及びそのプログラムに関するものである。
【背景技術】
【０００２】
近年、大手企業等の開発において、優れた技術を持つ中小・中堅企業をパートナーとするケースが増えている。
通常、大企業は、このようなパートナーを選定する際に、過去の取引関係やウェブ検索等で、条件に合う中小・中堅企業を探索することが多い。
また、各地域には、その地域の中小・中堅企業の事業を支援し、その支援活動において他の企業とマッチングを提案するコーディネータがいる。
コーディネータは、担当する中小・中堅企業の技術シーズと、自らが持つ情報あるいはそのコーディネータが属する機関が持つ情報とを基に、当該中小・中堅企業に合う企業を探索している。
【発明の概要】
【発明が解決しようとする課題】
【０００３】
しかしながら、大企業は、上述したたように過去の取引関係だけでは十分な数の企業を対象とした探索ができず、適切なパートナーを探すことが難しいという問題がある。また、企業の本来の強み等は、ウェブ上には十分に開示されていないことが多く、ウェブ検索のみでは、パートナー選定に必要な情報が得られないという問題がある。
【０００４】
また、上述したように、コーディネータは、担当する中小・中堅企業の技術シーズと、自らのネットワークとを用いた企業探索では、マッチング事例が少ないというも問題がある。
【０００５】
本発明はかかる事情に鑑みてなされたものであり、その目的は、要求元の企業が提示する条件に合ったパートナー企業を高い精度且つ高い確率で探索できる企業選定方法、その装置及びそのプログラムを提供することにある。
【課題を解決するための手段】
【０００６】
上述した従来技術の問題を解決し上述した目的を達成するために、本発明の企業選定方法は、指定された条件にあった企業を選定するコンピュータが実行する企業選定方法であって、選定企業の１次選定条件を要求元から受ける第１の工程と、前記第１の工程で受けた前記１次選定条件情報を、予め登録した複数のコーディネータに提供する第２の工程と、前記コーディネータから前記１次選定条件情報に適合する候補企業情報を取得する第３の工程と、前記コーディネータから取得した前記候補企業情報の１次リストを作成し、当該１次リストデータを前記要求元に提供する第４の工程と、前記第４の工程で前記要求元に提供された前記１次リストデータに応じて、第１次選定結果と２次選定条件情報とを前記要求元から受ける第５の工程と、前記第１次選定結果に示される１次選定企業に前記２次選定条件情報を提供する第６の工程と、前記１次選定企業から、前記第２次選定条件情報に対しての回答を受ける第７の工程と、前記第７の工程で受けた回答を基に、候補企業の２次リストデータを生成し、当該２次リストデータを前記要求元に提供する第８の工程とを前記コンピュータが実行する。
【０００７】
好適には、本発明の企業選定方法の前記第１の工程は、前記要求元に要求元ＩＤ及び要求元パスワードを送信する工程と、前記要求元ＩＤ及び要求元パスワードを基に、前記要求元が所定のウェブサイトにログインして前記１次選定条件情報を入力する工程とを有する。
【０００８】
好適には、本発明の企業選定方法の前記第７の工程は、前記１次選定企業に１次選定企業ＩＤ及び１次選定企業パスワードを送信する工程と、前記１次選定企業ＩＤ及び１次選定企業パスワードを基に、前記１次選定企業が所定のウェブサイトにログインして前記第２次選定条件情報に対しての前記回答を入力する工程とを有する。
【０００９】
本発明の企業選定装置は、指定された条件にあった企業を選定するコンピュータが実行する企業選定装置であって、選定企業の１次選定条件を要求元から受ける第１の手段と、前記第１の手段で受けた前記１次選定条件情報を、予め登録した複数のコーディネータに提供する第２の手段と、前記コーディネータから前記１次選定条件情報に適合する候補企業情報を取得する第３の手段と、前記コーディネータから取得した前記候補企業情報の１次リストを作成し、当該１次リストデータを前記要求元に提供する第４の手段と、前記第４の手段で前記要求元に提供された前記１次リストデータに応じて、第１次選定結果と２次選定条件情報とを前記要求元から受ける第５の手段と、前記第１次選定結果に示される１次選定企業に前記２次選定条件情報を提供する第６の手段と、前記１次選定企業から、前記第２次選定条件情報に対しての回答を受ける第７の手段と、前記第７の手段で受けた回答を基に、候補企業の２次リストデータを生成し、当該２次リストデータを前記要求元に提供する第８の手段とを有する。
【００１０】
本発明のプログラムは、指定された条件にあった企業を選定するコンピュータが実行するプログラムであって、選定企業の１次選定条件を要求元から受ける第１の手順と、前記第１の手順で受けた前記１次選定条件情報を、予め登録した複数のコーディネータに提供する第２の手順と、前記コーディネータから前記１次選定条件情報に適合する候補企業情報を取得する第３の手順と、前記コーディネータから取得した前記候補企業情報の１次リストを作成し、当該１次リストデータを前記要求元に提供する第４の手順と、前記第４の手順で前記要求元に提供された前記１次リストデータに応じて、第１次選定結果と２次選定条件情報とを前記要求元から受ける第５の手順と、前記第１次選定結果に示される１次選定企業に前記２次選定条件情報を提供する第６の手順と、前記１次選定企業から、前記第２次選定条件情報に対しての回答を受ける第７の手順と、前記第７の手順で受けた回答を基に、候補企業の２次リストデータを生成し、当該２次リストデータを前記要求元に提供する第８の手順とを前記コンピュータに実行させる。
【発明の効果】
【００１１】
本発明によれば、要求元の企業が提示する条件に合ったパートナー企業を高い精度且つ高い確率で探索できる企業選定方法、その装置及びそのプログラムを提供することができる。
【図面の簡単な説明】
【００１２】
【図１】図１は、本実施形態の企業選定システムが動作する環境を説明するための図である。
【図２】図２は、図１に示す各コンピュータ・システムの使用者の属性を説明するための図である。
【図３】図３は、図１に示す企業選定システムを用いたビジネスフローを説明するための図である。
【図４】図４は、図１に示す企業選定システムを用いた、企業選定の概要を説明するための図である。
【図５】図５は、第１次，第２次，第３次及び最終選定の際の選定条件と受注候補企業の絞り込み過程で使用されるリストデータの一例である。
【図６】図６は、図１に示す管理システムの機能ブロック図である。
【図７】図７は、図１に示す企業選定システムを用いて企業選定を行うフローを説明するための図である。
【発明を実施するための形態】
【００１３】
以下、本発明の実施形態に係る企業選定システムについて説明する。
図１は、本実施形態の企業選定システム１７が動作する環境を説明するための図である。
企業選定システム１７は、例えば、大手企業等が、自社開発においてパートナーとなり得る優れた技術を持つ中小・中堅企業を探索するために用いられる。
図１に示すように、発注元コンピュータ１１、受注候補企業コンピュータ１３、コーディネータコンピュータ１５及び企業選定システム１７が、ネットワーク９を介して通信可能に接続されている。ネットワーク９は、インタネット等の通信網である。
企業選定システム１７は、管理者コンピュータ２１及び管理システム２３を有する。
【００１４】
図２は、図１に示す各コンピュータ・システムの使用者の属性を説明するための図である。
発注元コンピュータ１１を使用する発注者３１は、所定の技術力を持つ中小・ベンチャー企業を探す大手企業、中堅企業の開発購買、新規事業開発、Ｒ＆Ｄ及び経営企画等の部門である。
受注候補企業コンピュータ１３を使用する受注候補企業３３は、技術力等に強みを持つ中小・ベンチャー企業である。
コーディネータコンピュータ１５を使用するコーディネータ３５は、例えば、地方企業・大学・専門家等と強固な信頼関係を構築している地元コーディネータである。
企業選定システム１７を使用する管理者３７は、上記コーディネータと強固な信頼関係を構築している事業者等である。
【００１５】
図３は、図１に示す企業選定システム１７を用いたビジネスフローを説明するための図である。
図３に示すように、発注者３１が、企業選定システム１７の管理者３７（管理会社）に対して、企業選定の依頼を行う（ステップＳＴ１）。当該依頼内容は、例えば、発電機の技術開発パートナ探索、玩具のソフト開発パートナ探索等である。
そして、企業選定システム１７を使って、全国のコーディネータ３５に対して、選定条件等を指定して企業選定依頼を行う（ステップＳＴ２）。そして、コーディネータ３５から、候補企業推薦を受ける（ステップＳＴ３）。
ここで、コーディネータ３５は、地元の受注候補企業３３とは普段から密に情報交換をしているため、受注候補企業３３の非公開情報等を使って適切な候補企業を推薦できる。
その後、企業選定システム１７を使って、選定企業の絞り込みが行われ、発注者３１が発注する受注候補企業３３が決まる（ステップＳＴ４）。
企業選定システム１７の管理者３７は、受注を受けた受注候補企業３３から、受注金額に応じロイヤリティを受ける（ステップＳＴ５）。
【００１６】
図４は、図１に示す企業選定システム１７を用いた、企業選定の概要を説明するための図である。
図４に示すように、企業選定システム１７は、発注元コンピュータ１１から得た1次選定条件情報を基にコーディネータコンピュータ１５からの候補企業推薦により、１次選定企業を絞り込み、１次リストデータを発注元コンピュータ１１に送信する。
ここで、１次選定条件情報は、例えば、発注者３１が受注候補企業３３に求める条件を示している。
そして、企業選定システム１７は、発注元コンピュータ１１が提供する２次選定条件情報、第３次選定条件情報と、それに応じた受注候補企業コンピュータ１３からの回答とを基に最終候補を絞り込む。
企業選定システム１７では、発注者３１が提示した全ての条件をクリアした受注候補企業３３が最終選定される。
【００１７】
図５は、第１次，第２次，第３次及び最終選定の際の選定条件と受注候補企業の絞り込み過程で使用されるリストデータの一例である。
各リストデータでは、各受注候補企業について、選定条件の複数の項目についての評価が３段階で示されている。
【００１８】
図６は、図１に示す管理システム２３の機能ブロック図である。
図６に示すように、管理システム２３は、例えば、ディスプレイ６１、操作部６３、インタフェース６５、メモリ６７及び処理回路６９を有し、これらがデータライン６０を介して接続されている。
【００１９】
ディスプレイ６１は、処理回路６９の処理結果等を表示する。 
操作部６３は、キーボード、マウス、タッチパネル等の操作手段であり、管理者３７（ユーザ）の操作に応じた操作信号を処理回路６９に出力する。 
インタフェース６５は、ネットワーク９を介して、発注元コンピュータ１１、受注候補企業コンピュータ１３及びコーディネータコンピュータ１５とデータの送受信を行う。また、インタフェース６５は、管理者コンピュータ２１とデータの入出力を行う。
【００２０】
メモリ６７は、処理回路６９が実行するプログラム、並びに処理回路６９の処理に使われるデータや処理結果のデータを記憶する。 
処理回路６９は、所定のプログラムを実行し、本実施形態で説明する管理システム２３の処理を行う。
【００２１】
図７は、図１に示す企業選定システム１７を用いて企業選定を行うフローを説明するための図である。
ステップＳＴ１１：
管理者コンピュータ２１は、発注元コンピュータ１１に案件登録のための発注元ＩＤと発注元パスワードを電子メールで送信する。
【００２２】
ステップＳＴ１２：
発注者３１は発注元コンピュータ１１を操作して管理者コンピュータ２１に案件登録を行う。具体的に、管理者コンピュータ２１が提供する案件登録画面から、発注元ＩＤと発注元パスワードを使ってログインし、案件登録画面上で登録のための入力操作を行う。当該入力された案件登録情報（１次選定条件情報）は、管理システム２３に送信されて記憶される。
【００２３】
ステップＳＴ１３：
管理システム２３は、案件登録を完了すると、登録通知を管理者コンピュータ２１に送信する。
【００２４】
ステップＳＴ１４：
管理者３７は、管理者コンピュータ２１の画面上で登録された１次選定条件情報の内容確認と編集を行う。
【００２５】
ステップＳＴ１５：
管理者３７の指示に応じて、管理システム２３で、上記編集等された１次選定条件情報がコーディネータ３５に公開承認される。
【００２６】
ステップＳＴ１６：
管理システム２３は、予め登録された複数のコーディネータ３５のコーディネータコンピュータ１５（メードアドレス）に、新たな案件が登録された旨を電子メールにて通知する。
コーディネータ３５は、電子メールの内容、あるいは管理システム２３にアクセスして得た情報を基に、新たな案件の１次選定条件情報を確認する。
【００２７】
ステップＳＴ１７：
コーディネータ３５は、自らが支援する企業のなかに、上記登録された１次選定条件情報に適した企業があるか否かを判断し、適した企業がある場合には、コーディネータコンピュータ１５から管理システム２３にアクセスを行い、管理システム２３が提供する画面上で推薦する企業情報を入力して登録する。すなわち、候補企業推薦操作を行う。
【００２８】
ステップＳＴ１８：
管理システム２３は、コーディネータコンピュータ１５から推薦があった旨を示す提案アラートメールを管理者コンピュータ２１に自動送信する。
【００２９】
ステップＳＴ１９：
管理者コンピュータ２１は、管理システム２３にアクセスして、コーディネータ３５からの候補企業の登録内容を確認し、必要であれば情報の修正・追加を行う。
また、管理者コンピュータ２１は、コーディネータ３５に予め決められたルールに従ってポイントを付加する。コーディネータ３５は、自らが得たポイントを、例えば、視察旅行・海外見本市・スダディスアー、研修講師・専門家派遣、国内研修、翻訳サービス及び資料作成サービスを受けるために使うことができる。また、ポイントを現金化することを可能にしてもよい。
【００３０】
ステップＳＴ２０：
管理者３７は、コーディネータ３５からの推薦企業の登録情報を基に、候補企業の１次リストデータを作成し、管理者コンピュータ２１を使って、当該１次リストデータを公開承認する。
【００３１】
ステップＳＴ２１：
管理者コンピュータ２１は、上記公開承認した１次リストデータを発注元コンピュータ１１に提供する。
【００３２】
ステップＳＴ２２：
発注者３１は、管理者コンピュータ２１を用いて１次リストデータを表示したり、印刷する。そして、１次リストデータに示された情報を基に、当選企業／落選企業の選択、落選理由の書き込み、２次選定条件情報の登録等を管理システム２３にアクセスして行う。
２次選定条件情報は、発注者３１が受注候補企業３３に求める条件を示し、例えば、前述した１次選定条件情報に比べて、より具体的な条件を示している。
【００３３】
ステップＳＴ２３：
管理者３７は、管理者コンピュータ２１を操作して管理システム２３にアクセスし、当選企業の確認・編集、落選理由の書き込み確認・編集を行った後に、公開承認処理を行う。
【００３４】
ステップＳＴ２４：
管理システム２３は、ステップＳＴ２２で受けた当選企業／落選企業の選択、落選理由の書き込みを基に、当選企業のコーディネータ３５のコーディネータコンピュータ１５に当選した旨を通知すると共に、当選企業のコンタクト情報入力依頼を行う。
また、管理システム２３は、落選企業のコーディネータ３５のコーディネータコンピュータ１５に落選した旨を通知すると共に、落選理由を通知する。
また、管理システム２３は、当選したコーディネータ３５のコーディネータコンピュータ１５と通信をして当該コーディネータ３５へのポイント付与処理を行う。
【００３５】
ステップＳＴ２５：
当選企業を推薦したコーディネータ３５は、コーディネータコンピュータ１５を用いて管理システム２３にアクセスして当該当選企業（１次選定企業）のコンタクト情報を登録する。当該コンタクト情報は、当選企業の担当者のメールアドレス等である。
【００３６】
ステップＳＴ２６：
管理者３７は、管理者コンピュータ２１を操作して管理システム２３にアクセスを行い、ステップＳＴ２２で発注元コンピュータ１１から受けた第２次選定条件の確認・編集作業を行い、その後、公開承認する。
【００３７】
ステップＳＴ２７：
管理システム２３は、第２次選定条件を含む案件概要を公開すると共に、ステップＳＴ２５で受けたコンタクト情報を基に、候補企業の受注候補企業コンピュータ１３に１次選定企業ＩＤと１次選定企業パスワードを発行する。
【００３８】
ステップＳＴ２８：
１次選定企業は、受注候補企業コンピュータ１３を介して、ステップＳＴ２７で得た１次選定企業ＩＤと１次選定企業パスワードを用いて管理システム２３にログインして、上記２次選定条件に沿った回答を行う。
【００３９】
ステップＳＴ２９：
管理者コンピュータ２１は、ステップＳＴ１８の１次選定企業からの回答を基に、候補企業の２次リストデータを管理者３７が作成し、これを公開承認する。
そして、管理者コンピュータ２１は、上記公開承認した１次リストデータを発注元コンピュータ１１に送信する。
【００４０】
その後は、発注者３１は、ステップＳＴ２１の場合と同様に、管理者コンピュータ２１が受信した２次リストデータを表示したり、印刷する。そして、１次リストデータに示された情報を基に、当選企業／落選企業の選択、落選理由の書き込み、３次選定条件情報の登録等を管理システム２３にアクセスして行う。
【００４１】
そして、発注者３１は、図４に示すように、第３次選定条件を提示して、管理者コンピュータ２１から３次リストデータを得る。３次リストデータに示された候補企業に対しては、発注者３１が実際にヒアリング等を行い、最終候補を選定する。
【００４２】
以上説明したように、企業選定システム１７によれば、多くの地方企業・大学・専門家等と強固な信頼関係を構築しているコーディネータ３５のネットワークを使って、発注者３１が求める受注候補企業３３を探索するため、ウェブ上等では得られない企業選定に有用な非公開情報を基に探索が可能であり、探索精度を高めることができる。
また、企業選定システム１７によれば、コーディネータ３５の数、並びにコーディネータ３５が支援する受注候補企業３３の数が多くなると、探索対象企業数を非常に多くでき、受注候補企業３３が求める条件を満たす企業を選定できる確率を高めることができる。
【００４３】
すなわち、企業選定システム１７によれば、候補企業の母集団に対して多面的な評価を行うことで、候補企業を適切に絞り込むことができる。また、大企業等である発注者３１のニーズとマッチするポテンシャルのある隠れたシーズを発掘でき、発注者３１の開発力を高めることができる。
【００４４】
また、企業選定システム１７によれば、受注候補企業３３が自らの強みを必要としている発注者３１と提携できる可能性が高まり、受注候補企業３３の受注量・売上の向上に貢献できる。
【００４５】
また、企業選定システム１７によれば、発注者３１の発注ニーズから、それに応えられる受注候補企業３３を探索するため、受注候補企業３３のシーズからニーズを探す場合に比べて高い成約率を得ることができる。
そのため、コーディネータ３５の業務成果を高めることができる。
【００４６】
企業選定システム１７によれば、受注候補企業３３は落選した場合でも落選理由を知ることができるため、自らに不足している事業要素を知ることができ、今後の事業の参考になる。
【００４７】
企業選定システム１７によれば、例えば、３次リストの公開までは、企業選定システム１７は、発注者３１についての具体的な情報を、コーディネータ３５及び受注候補企業３３に提供しない。そして、最終選考の段階で、秘密保持契約締結後に、発注者３１の具体的な情報を受注候補企業３３に提供する。これにより、発注者３１が秘密に行っている開発情報が漏れることを効果的に抑制できる。なお、最終選考より前に発注者３１の情報を開示してもよい。
【００４８】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００４９】
また、上述した実施形態では３次候補選定後に発注者３１が最終候補企業と直接コンタクトをとる場合を例示したが、1次候補選定後、あるいは４次以上の候補選定後にコンタクトをとるようにしてもよい。
【００５０】
例えば、上述した実施形態では、企業選定システム１７を、発注者３１が自社開発に必要なパートナ企業を探索するために利用したが、発注者３１の属性、発注者３１の探索要求対象の属性、並びに受注候補企業３３の属性等は特に限定されない。例えば、企業が資金提供先や、販売店等を探索するために企業選定システム１７を利用してもよい。
【００５１】
また、上述した実施形態では、１次選定条件情報、２次選定条件情報及び３次選定条件情報等の受注候補企業３３及びコーディネータ３５への公開を、受注候補企業３３及びコーディネータ３５が管理システム２３にログインすることで行い場合を例示したが、メールやファクシミリ等のその他の手段で通知するようにしてもよい。
【００５２】
また、上述した実施形態では、１次リスト、２次リスト及び３次リスト等の発注者３１への公開を、発注者３１が管理システム２３にログインすることで行い場合を例示したが、メールやファクシミリ等のその他の手段で通知するようにしてもよい。
【００５３】
また、管理者コンピュータ２１及び管理システム２３の機能を一つのコンピュータで実現してもよい。
【産業上の利用可能性】
【００５４】
本発明は、要求元企業の条件に合った企業を選定するシステムてに適用可能である。
【符号の説明】
【００５５】
１１…発注元コンピュータ
１３…受注候補企業コンピュータ
１５…コーディネータコンピュータ
１７…企業選定システム
２１…管理者コンピュータ
２３…管理システム
３１…発注者
３３…受注候補企業
３５…コーディネータ
【図１】
2015228153.tif 000003
【図２】
2015228153.tif 000004
【図３】
2015228153.tif 000005
【図４】
2015228153.tif 000006
【図５】
2015228153.tif 000007
【図６】
2015228153.tif 000008
【図７】
2015228153.tif 000009